(57)【要約】【課題】新規な構造を有する車両用リアパネルを提供する。【解決手段】本発明のある態様の車両用リアパネル１００は、車体後部に配置される樹脂製の車両用リアパネルであって、車両前方側に凹んだ凹部又は開口からなり、車両用灯具２００を車両後方に光を照射可能な姿勢で収容する灯具収容部１０６を備える。【選択図】図１
2014008837.tif 000002
【特許請求の範囲】
【請求項１】
車体後部に配置される樹脂製の車両用リアパネルであって、
車両前方側に凹んだ凹部又は開口からなり、車両用灯具を車両後方に光を照射可能な姿勢で収容する灯具収容部を備えることを特徴とする車両用リアパネル。
【請求項２】
車両用リアパネルにはリアウインドウ部が設けられ、
前記灯具収容部は、前記リアウインドウ部に設けられる請求項１に記載の車両用リアパネル。
【請求項３】
請求項１又は２に記載の車両用リアパネルと、
前記灯具収容部に収容されて前記車両用リアパネルに取り付けられた車両用灯具と、
を備えることを特徴とする灯具一体型車両用リアパネル。
【請求項４】
前記車両用灯具の光源から出射される光の車両前方への進行を遮る遮光部を有し、
前記車両用灯具を前記車両用リアパネルに固定するための固定構造は、前記遮光部によって車両外側及び／又は車両内側に対して隠蔽されるように、前記遮光部との位置関係が定められている請求項３に記載の灯具一体型車両用リアパネル。
【発明の詳細な説明】
【技術分野】
【０００１】
本発明は、車両用リアパネルに関し、特に自動車等の車両に搭載される車両用リアパネルに関する。
【背景技術】
【０００２】
特許文献１には、自動車のリヤウインドシールド、すなわちリアウインドウの内面の上部に取り付けられてストップランプとして使用される、ハイマウントストップランプが開示されている。
【先行技術文献】
【特許文献】
【０００３】
【特許文献１】特開平５−６９７７７号公報
【発明の概要】
【発明が解決しようとする課題】
【０００４】
近年、車両の軽量化等を目的として、車両用リアパネルの樹脂化が図られるようになってきた。このような状況において、本発明者らは、樹脂製の車両用リアパネルについて鋭意研究を重ねた結果、ストップランプ等の車両用灯具の機能を備えた新規な構造の車両用リアパネルを得るに到った。
【０００５】
本発明は本発明者によるこうした認識に基づいてなされたものであり、その目的は、新規な構造を有する車両用リアパネルを提供することにある。
【課題を解決するための手段】
【０００６】
上記課題を解決するために、本発明のある態様は車両用リアパネルである。当該車両用リアパネルは、車体後部に配置される樹脂製の車両用リアパネルであって、車両前方側に凹んだ凹部又は開口からなり、車両用灯具を車両後方に光を照射可能な姿勢で収容する灯具収容部を備えることを特徴とする。
【０００７】
この態様によれば、新規な構造を有する車両用リアパネルを提供することができる。
【０００８】
上記態様において、車両用リアパネルにはリアウインドウ部が設けられ、前記灯具収容部は、前記リアウインドウ部に設けられてもよい。この態様によっても、新規な構造を有する車両用リアパネルを提供することができる。
【０００９】
本発明の他の態様は灯具一体型車両用リアパネルである。当該灯具一体型車両用リアパネルは、上記いずれかの態様の車両用リアパネルと、前記灯具収容部に収容されて前記車両用リアパネルに取り付けられた車両用灯具と、を備えることを特徴とする。
【００１０】
この態様によっても、新規な構造を有する車両用リアパネルを提供することができる。
【００１１】
上記態様において、前記車両用灯具の光源から出射される光の車両前方への進行を遮る遮光部を有し、前記車両用灯具を前記車両用リアパネルに固定するための固定構造は、前記遮光部によって車両外側及び／又は車両内側に対して隠蔽されるように、前記遮光部との位置関係が定められていてもよい。この態様によれば、固定構造を隠蔽するための部材と遮光部とを兼用しているため、車両用リアパネルの部品点数や組立工程数、製造コストの低減を図ることができる。
【発明の効果】
【００１２】
本発明によれば、新規な構造を有する車両用リアパネルを提供することができる。
【図面の簡単な説明】
【００１３】
【図１】図１（Ａ）は、実施形態１に係る車両用リアパネルを備える灯具一体型車両用リアパネルの概略構造を示す正面図である。図１（Ｂ）は、図１（Ａ）におけるＡ−Ａ線に沿った断面図である。
【図２】実施形態２に係る車両用リアパネルを備える灯具一体型車両用リアパネルにおける灯具収容部近傍の概略構造を示す断面図である。
【図３】実施形態３に係る車両用リアパネルを備える灯具一体型車両用リアパネルにおける灯具収容部近傍の概略構造を示す断面図である。
【発明を実施するための形態】
【００１４】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１５】
（実施形態１）
図１（Ａ）は、実施形態１に係る車両用リアパネルを備える灯具一体型車両用リアパネルの概略構造を示す正面図である。図１（Ａ）は、灯具一体型車両用リアパネル１を車両後方側から見た状態を示している。図１（Ｂ）は、図１（Ａ）におけるＡ−Ａ線に沿った断面図である。本実施形態に係る灯具一体型車両用リアパネル１は、車体後部に配置される樹脂製の車両用リアパネル１００と、車両用灯具２００とを備える。車両用リアパネル１００は、例えばポリカーボネート樹脂製又はアクリル樹脂製である。本実施形態の車両用リアパネル１００は、開閉可能なバックドアを構成しており、車体後部の開口部を塞ぐように車体後部に取り付けられる。
【００１６】
車両用リアパネル１００は、バックドアパネル上部１０２ａと、バックドアパネル下部１０２ｂと、リアウインドウ部１０４とを有する。以下では適宜、バックドアパネル上部１０２ａ及びバックドアパネル下部１０２ｂを、バックドアパネル１０２と総称する。リアウインドウ部１０４は、バックドアパネル上部１０２ａとバックドアパネル下部１０２ｂとの間に配置されている。本実施形態の車両用リアパネル１００は、バックドアパネル１０２とリアウインドウ部１０４とが一体成形されてなる。車両用リアパネル１００は、例えば透明な樹脂材料で一枚のプレートが成形され、バックドアパネルとなるべき領域、及びリアウインドウ部１０４の後述する灯具収容部１０６とその周辺領域に遮光処理（着色等）が施されることで得ることができる。あるいは、車両用リアパネル１００は、バックドアパネル１０２、及びリアウインドウ部１０４の灯具収容部１０６とその周辺領域を構成する有色樹脂と、リアウインドウ部１０４の透明部分を構成する透明樹脂との２色成形により形成することができる。リアウインドウ部１０４の透明部分は、ポリカーボネート樹脂やアクリル樹脂等の透明な樹脂材料で形成され、ドライバーの後方視認に利用可能である。なお、車両用リアパネル１００は全体が透明であってもよく、この場合は車両用リアパネル１００の全体がリアウインドウ部１０４を構成する。前記「透明」とは、光透過性（透光性）を有することを示し、無色透明の他、有色透明を含む。
【００１７】
車両用リアパネル１００は、車両用灯具２００を車両後方に光を照射可能な姿勢で収容する灯具収容部１０６を備える。灯具収容部１０６は、車両用リアパネル１００が車両前方側に凹んだ凹部からなる。本実施形態の灯具収容部１０６は、リアウインドウ部１０４に設けられている。したがって、リアウインドウ部１０４の所定領域を車両前方側に凹ませてなる凹部が、灯具収容部１０６を構成している。灯具収容部１０６は、リアウインドウ部１０４の左右両側の下方領域に設けられている。また、灯具収容部１０６は、車両後方から見て、リアウインドウ部１０４の外縁の内側に設けられている。さらには、灯具収容部１０６は、灯具収容部１０６に収容された車両用灯具２００が、リアウインドウ部１０４の透明部分で囲まれるように配置されている。
【００１８】
車両用灯具２００は、例えば、テールランプ、ストップランプ又はリアコンビネーションランプ等の車両用標識灯であり、車両後方側に開口部を有するランプボディ２０２と、ランプボディ２０２の開口部を覆うように取り付けられた透光カバー２０４とを備える。透光カバー２０４は、透光性を有する樹脂やガラス等で形成されている。ランプボディ２０２と透光カバー２０４とにより形成される灯室２０３内には、光源２０６及びヒートシンク２０８が収容されている。光源２０６としては、例えば、ＬＥＤ（発光ダイオード）、ＬＤ（レーザーダイオード）、有機または無機ＥＬ（エレクトロルミネセンス）等の半導体発光素子を用いることができる。光源２０６は、光出射面が灯具後方を向くようにしてヒートシンク２０８に取り付けられている。ヒートシンク２０８は、支持機構（図示せず）によりランプボディ２０２に固定されている。光源２０６から出射された光は、透光カバー２０４を通過して灯具後方に照射される。なお、光源２０６の設置個数や取付姿勢は特に限定されず、光源２０６から出射された光をリフレクターで反射させて車両後方に照射する構成であってもよい。
【００１９】
ランプボディ２０２の車両前方側の面には、車両前方側に突出する固定用ボルト２１０が設けられている。また、灯具収容部１０６には、固定用ボルト２１０が挿通される貫通孔１０８が設けられている。車両用灯具２００は、ランプボディ２０２が車両前方側、透光カバー２０４が車両後方側となるように姿勢が定められて、灯具収容部１０６に収容される。このとき、固定用ボルト２１０が貫通孔１０８に挿通される。そして、貫通孔１０８から灯具収容部１０６の車両前方側に突出した固定用ボルト２１０に、ナット２１２が螺合することで、車両用灯具２００が車両用リアパネル１００のリアウインドウ部１０４に取り付けられる。固定用ボルト２１０、ナット２１２及び貫通孔１０８によって、車両用灯具２００を車両用リアパネル１００に固定するための固定構造３００が構成される。固定用ボルト２１０の周囲には、防水パッキン等のシール部材２１３が設けられている。シール部材２１３は、車両用灯具２００がリアウインドウ部１０４に取り付けられた状態で、ランプボディ２０２と灯具収容部１０６とで挟まれる。これにより、貫通孔１０８を介した車両外側から内側への浸水を抑制できる。
【００２０】
ランプボディ２０２は、黒色等の有色の樹脂等で形成されている。そのため、ランプボディ２０２は、車両用灯具２００の光源２０６から出射される光の車両前方への進行を遮る遮光部として機能する。また、固定構造３００は、この遮光部として機能するランプボディ２０２によって車両外側に対して隠蔽されている。また、灯具収容部１０６の車両前方側には、灯具収容部１０６を覆うカバー部材１１０が設けられている。カバー部材１１０は、例えば車室内に露呈するドアトリムの一部を構成し、例えば溶着によりリアウインドウ部１０４に固定されている。カバー部材１１０は、光源２０６から出射される光の車両前方への進行を遮る遮光部として機能することができる。固定構造３００は、この遮光部として機能するカバー部材１１０によって車両内側に対して隠蔽されている。
【００２１】
また、本実施形態では、リアウインドウ部１０４における灯具収容部１０６及びその周辺領域を遮光性の樹脂で構成している。すなわち、リアウインドウ部１０４は、遮光領域１０４ａと、透光領域１０４ｂとを有する。遮光性樹脂は、例えば黒色、赤色、アンバー色等の有色の樹脂である。灯具収容部１０６の周辺領域を遮光性樹脂で構成した場合、カバー部材１１０をこの遮光性樹脂部分に溶着することで、車両外部に対してカバー部材１１０の溶着部（溶着バリ等）を隠すことができる。そのため、車両用リアパネル１００の意匠性、見栄えを向上させることができる。また、灯具収容部１０６を遮光性樹脂で構成した場合、灯具収容部１０６を第３の遮光部として機能させることができる。すなわち、ランプボディ２０２、灯具収容部１０６及びカバー部材１１０の３つの遮光部を設けることができる。遮光領域１０４ａと透光領域１０４ｂとを有するリアウインドウ部１０４は、例えば遮光性樹脂と透光性樹脂との２色成形により形成することができる。なお、灯具収容部１０６を第３の遮光部として機能させる必要がない場合は、灯具収容部１０６の周辺領域のみを遮光領域１０４ａとしてもよい。また、カバー部材１１０を、灯具収容部１０６の周辺領域ではなく灯具収容部１０６の車両前方側面に溶着される程度の大きさ、あるいは灯具収容部１０６全体ではなく固定構造３００の周囲のみを覆う程度の大きさに小型化することで、遮光領域１０４ａを小さくする、あるいは省略することができる。
【００２２】
以上説明したように、本実施形態に係る車両用リアパネル１００は、車両前方側に凹んだ凹部からなり、車両用灯具２００を車両後方に光を照射可能な姿勢で収容する灯具収容部１０６を備える。そして、この灯具収容部１０６に車両用灯具２００が収容されて、本実施形態の灯具一体型車両用リアパネル１が構成されている。したがって、本実施形態によれば、車両用灯具が車両用リアパネルの外側で一体的に設けられる、新規な構造の車両用リアパネルを提供することができる。
【００２３】
また、本実施形態では、リアウインドウ部１０４が樹脂製である。そのため、リアウインドウ部１０４を容易に加工することができ、リアウインドウ部１０４を簡単に凹ませて灯具収容部１０６を形成することができる。そして、この灯具収容部１０６に車両用灯具２００を収容しているため、車両用灯具２００がリアウインドウ部１０４の表面から突出してしまうことを抑制できる。従来のガラス製のリアウインドウでは、凹部を形成することが非常に困難であるか、あるいは形成することができないため、リアウインドウに車両用灯具を取り付けようとした場合、リアウインドウ表面から車両用灯具が突出してしまう。これに対し、本実施形態によれば、リアウインドウ部１０４の表面からの車両用灯具２００の突出を回避できるため、灯具レイアウトや車両デザインの自由度を高めることができ、また、車両用リアパネル１００の意匠性を向上させることができる。また、本実施形態では、車両後方から見て車両用灯具２００の周囲がリアウインドウ部１０４で囲まれている。そのため、車両用灯具２００が宙に浮いているように見せることができる。
【００２４】
また、ガラス製のリアウインドウでは固定用ボルト２１０等の締結部材を挿通させるための貫通孔を形成することは困難であり、また締結部材の締め込みよって破損してしまうおそれもある。これに対し、本実施形態のリアウインドウ部１０４は樹脂製であるため、貫通孔を簡単に形成することができ、また締結部材の締め込みによって破損する可能性も低い。また、リアウインドウ部１０４を樹脂製とすることで、車両用リアパネル１００のさらなる軽量化を図ることができる。また、バックドアパネル１０２とリアウインドウ部１０４とを一体成形可能となるため、車両用リアパネルの部品点数や組立工程数、製造コスト等をさらに削減することができる。
【００２５】
また、車両用灯具がリアウインドウの車両内側面に固定されている場合、車両用灯具から照射された光は、リアウインドウを通過して車両後方に照射されることになる。そのため、リアウインドウの光透過特性に応じて車両用灯具の配光設計を行う必要がある。また、リアウインドウの光透過率が低い場合には、光源の輝度を高めたり、より高輝度の光源を採用する必要がある。これに対し、本実施形態では、車両用リアパネル１００の車両外側面に車両用灯具２００が固定されている。そのため、車両用灯具の配光設計を簡素化することができ、また、車両用灯具の消費電力の上昇や製造コストの増大を抑制することができる。
【００２６】
また、本実施形態では、遮光部として機能するランプボディ２０２が車両外側に対して固定構造３００を隠蔽し、遮光部として機能するカバー部材１１０が車両内側に対して固定構造３００を隠蔽するように、遮光部と固定構造３００との位置関係が定められている。これにより、車両用リアパネルの意匠性の向上を図ることができるとともに、固定構造３００を隠蔽するための部材と遮光部とを兼用しているため、部品点数や組立工程数、製造コスト等の低減を図ることができる。また、遮光部を設けることで、車両用灯具２００から赤色光が車両前方側へ照射されて、歩行者や他車両のドライバー等が車両の前後方向を誤認することを回避できる。
【００２７】
（実施形態２）
実施形態２に係る車両用リアパネルは、開口からなる灯具収容部を備える。以下、実施形態１と異なる点を中心に、本実施形態に係る車両用リアパネルについて説明する。なお、実施形態１と同一の構成については同一の符号を付し、その構成と効果の説明及び図示は省略する。
【００２８】
図２は、実施形態２に係る車両用リアパネルを備える灯具一体型車両用リアパネルにおける灯具収容部近傍の概略構造を示す断面図である。本実施形態に係る車両用リアパネル１００は、開口からなり、車両用灯具を車両後方に光を照射可能な姿勢で収容する灯具収容部１０６を備える。本実施形態の灯具収容部１０６は、リアウインドウ部１０４に設けられている。したがって、リアウインドウ部１０４の所定領域に設けられた開口が、灯具収容部１０６を構成している。
【００２９】
本実施形態の車両用灯具２００では、ランプボディ２０２がヒートシンクを兼ねており、光源２０６は、ランプボディ２０２に固定されている。また、透光カバー２０４の灯室２０３側の面には、所定のステップ形状が形成されている。光源２０６とランプボディ２０２との間には、各光源２０６が電気的に接続された回路基板２１４が配置され、ランプボディ２０２の車両前方側の面には、回路基板２１４に電気的に接続された給電制御部２１６が固定されている。透光カバー２０４は、リアウインドウ部１０４の面方向に延在するフランジ部２０４ａを有する。フランジ部２０４ａには、車両前方側の面に防水パッキン等のシール部材２１７が設けられている。また、フランジ部２０４ａには、車両前後方向にフランジ部２０４ａを貫く貫通孔２１８が設けられている。リアウインドウ部１０４のフランジ部２０４ａと重なる領域には、スクリュー受け部１１２が設けられている。貫通孔２１８とスクリュー受け部１１２とは、車両用灯具２００が灯具収容部１０６に収容された状態で、車両前後方向で重なるように互いの位置関係が定められている。
【００３０】
車両用灯具２００は、灯具収容部１０６に収容された状態で、固定用スクリュー２２０が貫通孔２１８及びスクリュー受け部１１２に嵌め合わされることで、リアウインドウ部１０４に取り付けられる。本実施形態では、貫通孔２１８、スクリュー受け部１１２及び固定用スクリュー２２０によって、固定構造３００が構成されている。ランプボディ２０２は、光源２０６から出射される光の車両前方への進行を遮る遮光部として機能する。なお、灯具収容部１０６の車両前方側には、実施形態１と同様にカバー部材１１０（図１参照）を設けることができ、遮光部として機能するカバー部材１１０によって固定構造３００を車両内側に対して隠蔽することができる。
【００３１】
図２において、灯具収容部１０６を構成する開口の端部から、車両用灯具２００の車両前方側を覆うようにリアウインドウ部１０４が延在している場合（図２における点線部１０４ｃ参照）は、凹部によって灯具収容部１０６が形成された構造となる。
【００３２】
（実施形態３）
実施形態３に係る車両用リアパネルは、開口からなる灯具収容部と、ランス係合機構を有する固定構造を備える。以下、実施形態１と異なる点を中心に、本実施形態に係る車両用リアパネルについて説明する。なお、実施形態１と同一の構成については同一の符号を付し、その構成と効果の説明及び図示は省略する。
【００３３】
図３は、実施形態３に係る車両用リアパネルを備える灯具一体型車両用リアパネルにおける灯具収容部近傍の概略構造を示す断面図である。本実施形態に係る車両用リアパネル１００は、開口からなり、車両用灯具を車両後方に光を照射可能な姿勢で収容する灯具収容部１０６を備える。本実施形態の灯具収容部１０６は、リアウインドウ部１０４に設けられている。したがって、リアウインドウ部１０４の所定領域に設けられた開口が、灯具収容部１０６を構成している。
【００３４】
本実施形態の車両用灯具２００では、光源２０６は、白熱球やハロゲンランプ、放電球等の光源バルブで構成されている。ランプボディ２０２は、光源固定用貫通孔２０２ａと、リフレクタ部２０２ｂとを有する。光源２０６は、光源固定用貫通孔２０２ａに挿通されて、ランプボディ２０２に対して固定されている。リフレクタ部２０２ｂは、回転放物面を基準面とした反射面を有する。光源固定用貫通孔２０２ａとリフレクタ部２０２ｂとは、光源固定用貫通孔２０２ａを介してランプボディ２０２に固定された光源２０６がリフレクタ部２０２ｂの反射面の焦点と重なるように、互いの位置関係が定められている。
【００３５】
リアウインドウ部１０４は、灯具収容部１０６を構成する開口の端部から車両前方側に延在する壁部１１４を有する。壁部１１４の所定位置には、ランス係合用開口部１１４ａが形成されている。また、ランプボディ２０２は、その周縁部に、車両前方側に延在する突出部２２２を有する。突出部２２２は、車両用灯具２００が灯具収容部１０６に収容された状態で壁部１１４と対向する面に、ランス係合用凸部２２２ａを有する。車両用灯具２００が灯具収容部１０６に挿入されると、ランス係合用凸部２２２ａがランス係合用開口部１１４ａに嵌め込まれる。これにより、車両用灯具２００がリアウインドウ部１０４に固定される。本実施形態では、ランス係合用開口部１１４ａ及びランス係合用凸部２２２ａによって、固定構造３００が構成されている。ランプボディ２０２の外周面と壁部１１４との間には、防水パッキン等のシール部材２２３が設けられている。固定構造３００は、光源光の車両前方への進行を遮る遮光部として機能するランプボディ２０２によって、車両外側に対して隠蔽されている。なお、灯具収容部１０６の車両前方側には、実施形態１と同様にカバー部材１１０（図１参照）を設けることができ、遮光部として機能するカバー部材１１０によって固定構造３００を車両内側に対して隠蔽することができる。
【００３６】
図３において、壁部１１４の車両前方側の端部から、車両用灯具２００の車両前方側を覆うようにリアウインドウ部１０４が延在している場合（図３における点線部１０４ｃ参照）は、凹部によって灯具収容部１０６が形成された構造となる。
【００３７】
本発明は、上述の各実施形態に限定されるものではなく、各実施形態を組み合わせたり、当業者の知識に基づいて各種の設計変更などの変形を加えることも可能であり、そのような組み合わせられ、もしくは変形が加えられた実施形態も本発明の範囲に含まれる。上述の各実施形態の組み合わせ、及び上述の各実施形態と以下の変形との組合せによって生じる新たな実施形態は、組み合わされる実施形態及び変形それぞれの効果をあわせもつ。
【００３８】
上述の各実施形態において、灯具収容部１０６は、リアウインドウ部１０４ではなく、バックドアパネル１０２を含む車両用リアパネル１００の他の領域に設けられてもよい。また、樹脂製のパネルに灯具収容部１０６を設けた構造、さらには樹脂製のウインドウ部に灯具収容部１０６を設けた構造は、車両用リアパネルだけでなく、車両のサイドパネル、ルーフパネル、フロントパネル等にも適用することができる。
【符号の説明】
【００３９】
１  灯具一体型車両用リアパネル、  １００  車両用リアパネル、  １０２  バックドアパネル、  １０４  リアウインドウ部、  １０６  灯具収容部、  １１０  カバー部材、  ２００  車両用灯具、  ２０２  ランプボディ、  ２０６  光源、  ３００  固定構造。
【図１】
2014008837.tif 000003
【図２】
2014008837.tif 000004
【図３】
2014008837.tif 000005